(57)【要約】      （修正有）【課題】装飾部材を好みのものとすることが容易に実現でき、収縮付勢力を与えている引張コイルばねが切断しても装飾部材がばらけることが生じない連結型身飾り品形成部材の提供。【解決手段】両端側にフランジ部２ｂを有しかつ貫通孔を有する棒部材２を多数並べてなる棒部材群３と、棒部材群の一方の終端部材となる一方終端棒部材４と、棒部材群の他方の終端部材となる他方終端棒部材５と、前記棒部材群を棒部材の貫通孔に通された、収縮付勢力状態で一方側を一方終端棒部材に固定されかつ他方側を他方終端棒部材に固定されてなる、全ての棒部材を一本形態に連結してなる引張コイルばね６と、を有する。【選択図】図１
2020092958.tif 000002
【特許請求の範囲】
【請求項１】
棒部材本体（２ａ）、この棒部材本体（２ａ）の両端側にフランジ部（２ｂ）を有しかつ貫通孔（２ｃ）を有する棒部材（２）、この棒部材（２）を複数並べてなる棒部材群（３）と、
前記棒部材群（３）の一方の終端部材となる、フランジ部（２ｂ）を両端側あるいはいずれか一方の側に設けてなる貫通孔（２ｃ）を有する一方終端棒部材（４）、（５５）と、
前記棒部材群（３）の他方の終端部材となる、フランジ部（２ｂ）を両端側あるいはいずれか一方の側に設けてなる貫通孔（２ｃ）を有する他方終端棒部材（５）、（５６）と、
前記棒部材群（３）を形成する前記一方終端棒部材（４）、（５５）の貫通孔（２ｃ）、前記棒部材（２）の貫通孔（２ｃ）および前記他方終端棒部材（５）、（５６）の貫通孔（２ｃ）に通された、収縮付勢力状態で一方側を前記一方終端棒部材（４）、（５５）に固定されかつ他方側を前記他方終端棒部材（５）、（５６）に固定されてなる、前記一方終端棒部材（４）、（５５）、前記棒部材（２）および前記他方終端棒部材（５）、（５６）を一本形態に連結してなる引張コイルばね（６）と、を有し、
前記引張コイルばね（６）が、前記棒部材（２）よりも硬質の硬質製部材であり、
以上のような構成であることを特徴とする連結型飾り品形成部材。
【請求項２】
前記一方終端棒部材（４）、（５５）と前記他方終端棒部材（５）、（５６）を取り付ける端側取付け部（２１）、（３２）、（４６）、（６３）を設け、前記端側取付け部（２１）、（３２）、（４６）、（６３）の一方側に前記一方終端棒部材（４）、（５５）を取付け、前記端側取付け部（２１）、（３２）、（４６）、（６３）の他方側に前記他方終端棒部材（５）、（５６）を取り付けた、全体形態が輪状形態であることを特徴とする請求項１記載の連結型身飾り品形成部材。
【請求項３】
前記一方終端棒部材（４）、（５５）及び前記他方終端棒部材（５）、（５６）が両端側にフランジ部（２ｂ）を設けた形態であり、
前記端側取付け部が端側取付け部（２１）、（４６）、（６３）であり、
前記端側取付け部（２１）、（４６）、（６３）の一方の側に前記一方終端棒部材（４）、（５５）を移動可能に通し取り付ける、一方側貫通孔（１０）が設けられ、
前記端側取付け部（２１）、（４６）、（６３）の他方の側に前記他方終端棒部材（５）、（５６）の前記棒部材本体（２ａ）を移動可能に通しかつ前記フランジ部（２ｂ）を通さない形態の他方側貫通孔（１１）が設けられ、
前記一方側貫通孔（１０）に前記一方終端棒部材（４）、（５５）が可動可能形態で取り付けられ、
前記他方側貫通孔（１１）に前記他方終端棒部材（５）、（５６）が可動可能形態で取り付けられ、
以上のように構成されてなることを特徴とする請求項１又は２記載の連結型身飾り品形成部材。
【請求項４】
前記一方終端棒部材（４）、（５５）および前記他方終端棒部材（５）、（５６）が金属製部材であり、
前記引張コイルばね（６）が、前記一方終端棒部材（４）、（５５）および前記他方終端棒部材（５）、（５６）よりも硬質の金属製部材であり、
前記引張コイルばね（６）の一方側および他方側の、前記一方終端棒部材（４）、（５５）および前記他方終端棒部材（５）、（５６）に固定されてなる固定形態が、前記引張コイルばね（６）内に前記一方側と前記他方側から線材（７）、線材（７）をそれぞれ挿入した状態で、前記一方終端棒部材（４）、（５５）および前記他方終端棒部材（５）、（５６）を圧着し固定した形態であり、
以上のような構成であることを特徴とする請求項１，２又は３記載の連結型身飾り品形成部材。
【請求項５】
前記一方終端棒部材（４）および前記他方終端棒部材（５）を有さない形態とし、
前記一方側貫通孔（１０）に一方側の終端の前記棒部材（２）を、前記フランジ部（２ｂ）が止となって抜けない可動形態で挿入した取り付け形態とし、
前記他方側貫通孔（１１）に他方側の終端の棒部材（２）を、前記フランジ部（２ｂ）が止となって抜けない可動形態で挿入した取り付け形態とし、
前記引張コイルばね（６）の一方のばね終端側と他方のばね終端側を前記端側取付け部（２１）、（４６）、（６３）内で連結してなるコイル連結部（６４）を設け、
以上のように構成されてなることを特徴とする請求項３記載の連結型身飾り品形成部材。
【請求項６】
前記コイル連結部（６４）は、引張コイルばね（６）内に一方側と他方側に線材（７）を挿入した状態で、前記一方のばね終端と前記他方のばね終端を金属製筒部材（６６）に挿入し、前記金属製筒部材（６６）を圧着し固定した形態であることを特徴とする請求項５記載の連結型身飾り品形成部材。
【請求項７】
前記端側取付け部（２１）、（３２）、（４６）、（６３）が、宝石等の飾り部材を接着や嵌め込み等で後付けすることができる凹み部、凸部、穴等の飾り部材取付け部を設けた形態であることを特徴とする請求項２〜５又は６記載の連結型身飾り品形成部材。
【請求項８】
請求項１〜６又は７記載の連結型身飾り品形成部材を有することを特徴とする身飾り品。
【請求項９】
前記棒部材（２）を通し形態で取り付ける中空形態の装飾部材本体（１４）と、この装飾部材本体（１４）の一方の側に設けられた、前記棒部材本体（２ａ）を移動可能に通しかつ前記フランジ部（２ｂ）を通さない形態の一方側開口（１７）と、前記装飾部材本体（１４）の他方の側に設けられた、前記棒部材本体（２ａ）を移動可能に通しかつ前記フランジ部（２ｂ）を通さない形態の他方側開口（１８）と、を有してなる複数の装飾部材（１９）からなる装飾部材群（２０）と、
前記装飾部材群（２０）を取り付けた前記請求項１〜６又は７記載の連結型身飾り品形成部材と、を有してなる、身飾り品であって、
前記装飾部材（１９）の１個は、前記一方側開口（１７）に前記棒部材（２）の棒部材本体（２ａ）を通し、かつ、前記他方側開口（１８）に隣の前記棒部材（２）の棒部材本体（２ａ）を通して連結された形態であり、
以上のように構成されてなることを特徴とする身飾り品。
【発明の詳細な説明】
【技術分野】
【０００１】
本発明は、指輪、ブレスレット等の輪形態でその輪を収縮付勢状態で広げることを可能とした、身飾り品を形成する連結型身飾り品形成部材および該連結型身飾り品形成部材を使用した身飾り品に関する。
【背景技術】
【０００２】
従来、金属製中空の球体１の一端に透孔２を穿設し他端においては球体１の一致部を搾り出して細管部３を設け更にその先端を膨出球部４となし、これに大経口の透孔５を設けて形成した念珠状に配列された多数の装飾珠ａ・・・・に弾性紐状ｂを刺通するとともに各装飾珠ａの細管部３並にこの先端膨出球部４を次位の装飾珠ａの透孔２内に遊嵌した装身具、が知られている。（例えば特許文献１。符号は特許文献１のものである。）
【０００３】
また、対向位置に孔13を有する継目無中空体11を複数個と、２個の前記中空体11の前記孔13に貫通し、それぞれ中空体11内で孔13の径より拡径されたフランジ部17を有する筒体15,16を複数個とを接続してなるボールチェーンが知られている。（例えば特許文献１。符号は特許文献２のもの。）
【先行技術文献】
【特許文献】
【０００４】
【特許文献１】実公昭３５−１７４７２号公報
【特許文献２】実開平６−６１１１３号公報
【発明の概要】
【発明が解決しようとする課題】
【０００５】
上述した特許文献１の技術は、次のような欠点があった。
（１）金属製中空の球体１はそのものがデザインが完成された装飾部材であり、また球体１によって数珠という形態が完成されているものであるので、球体１に他の装飾部材をさらに取付ける形態とすることは想定されないものであり、でき難いものであった。
また、細管部３に新たに装飾部材を取り付けることは、細管部３の可動範囲を大きく制約してしまうので採用でき難いものであった。
（２）多数の装飾珠ａから発明の具体的形態は数珠的なもので広げと収収縮を両立されものとしては収縮型ブレスレットが具体的に想定されるが、収縮型ブレスレットの連結紐はゴム製紐であり、該ゴム製紐の両端を結んで輪形態にしているものである。そうであるなら、弾性紐状ｂはゴム製紐とするのが相当であり、ゴム製紐は金属製中空の球体１よりも軟らかい軟質素材であり、そうすると金属製球体１よりも軟質の弾性紐状ｂが該金属製球体１による擦すり作用によって傷つき切断する危険が大きいものであった。
（３）細管部３および先端膨出球部４は、球体１の一致部を搾り出して形成するものであるので、球体１が薄肉であるばあい、長いものとすることができない短い形態となるものであり、かかる短い形態では、念珠輪の十分な広がりを形成できない、ないし、広げたときに先端膨出球部４が球体１の外に出た状態になってしまうという欠点を有するものであった。
また、細管部３および先端膨出球部４を長いものとするためには、球体１を肉厚としなければならず、球体１が金製部材などであるばあい著しいコスト高になってしまうものであった。
（４）先端膨出球部４が通る透孔２は該先端膨出球部４よりも大径の開口であるため、弾性紐状ｂが切断した場合には、先端膨出球部４が透孔２から容易にぬけてしまい、球体１が飛散してしまうという欠点を有するものであったし、球体１が金やプラチナなどの高価な貴金属である場合は、損失が極めて大になるものであった。
【０００６】
上述した特許文献２の技術は、次のような欠点があった。
（１）チェーンであることから長いものに形成され、かつ、中空体11と筒体15,16が長く連結された完成形態であるので、この完成形態に引張コイルばねを挿入することは不可能であった。
（２）チェーンであるので、引張コイルばねを内設させて該引張コイルばねによって付勢収縮力を与えるという技術的課題が生じないものであった。
（３）また、例えば輪形態のブレスレットした形態では、中空体11から筒体15,16が抜け外れると輪が崩壊し手首から落ちてしまう危険があるものであった。
【０００７】
本発明は以上のような従来技術の欠点に鑑み、装飾部材を好みのものとすることが容易に実現でき、収縮付勢力を与えている引張コイルばねが切断してもまた装飾部材を連結しているフランジ付き棒部材が抜け外れても装飾部材がばらけることが生じない、連結型身飾り品形成部材および該連結型身飾り品形成部材使用した身飾り品を提供することを目的としている。
【課題を解決するための手段】
【０００８】
上記目的を達成するために、本発明は次のような構成としている。
＜＜解決手段１＞＞
棒部材本体（２ａ）、この棒部材本体（２ａ）の両端側にフランジ部（２ｂ）を有しかつ貫通孔（２ｃ）を有する棒部材（２）、この棒部材（２）を複数並べてなる棒部材群（３）と、
前記棒部材群（３）の一方の終端部材となる、フランジ部（２ｂ）を両端側あるいはいずれか一方の側に設けてなる貫通孔（２ｃ）を有する一方終端棒部材（４）、（５５）と、
前記棒部材群（３）の他方の終端部材となる、フランジ部（２ｂ）を両端側あるいはいずれか一方の側に設けてなる貫通孔（２ｃ）を有する他方終端棒部材（５）、（５６）と、
前記棒部材群（３）を形成する前記一方終端棒部材（４）、（５５）の貫通孔（２ｃ）、前記棒部材（２）の貫通孔（２ｃ）および前記他方終端棒部材（５）、（５６）の貫通孔（２ｃ）に通された、収縮付勢力状態で一方側を前記一方終端棒部材（４）、（５５）に固定されかつ他方側を前記他方終端棒部材（５）、（５６）に固定されてなる、前記一方終端棒部材（４）、（５５）、前記棒部材（２）および前記他方終端棒部材（５）、（５６）を一本形態に連結してなる引張コイルばね（６）と、を有し、
前記引張コイルばね（６）が、前記棒部材（２）よりも硬質の硬質製部材であり、
以上のような構成であることを特徴とする連結型飾り品形成部材である。
＜＜解決手段２＞＞
前記一方終端棒部材（４）、（５５）と前記他方終端棒部材（５）、（５６）を取り付ける端側取付け部（２１）、（３２）、（４６）、（６３）を設け、前記端側取付け部（２１）、（３２）、（４６）、（６３）の一方側に前記一方終端棒部材（４）、（５５）を取付け、前記端側取付け部（２１）、（３２）、（４６）、（６３）の他方側に前記他方終端棒部材（５）、（５６）を取り付けた、全体形態が輪状形態であることを特徴とする解決手段１記載の連結型身飾り品形成部材である。
＜＜解決手段３＞＞
前記一方終端棒部材（４）、（５５）及び前記他方終端棒部材（５）、（５６）が両端側にフランジ部（２ｂ）を設けた形態であり、
前記端側取付け部が端側取付け部（２１）、（４６）、（６３）であり、
前記端側取付け部（２１）、（４６）、（６３）の一方の側に前記一方終端棒部材（４）、（５５）を移動可能に通し取り付ける、一方側貫通孔（１０）が設けられ、
前記端側取付け部（２１）、（４６）、（６３）の他方の側に前記他方終端棒部材（５）、（５６）の前記棒部材本体（２ａ）を移動可能に通しかつ前記フランジ部（２ｂ）を通さない形態の他方側貫通孔（１１）が設けられ、
前記一方側貫通孔（１０）に前記一方終端棒部材（４）、（５５）が可動可能形態で取り付けられ、
前記他方側貫通孔（１１）に前記他方終端棒部材（５）、（５６）が可動可能形態で取り付けられ、
以上のように構成されてなることを特徴とする解決手段１又は２記載の連結型身飾り品形成部材である。
＜＜解決手段４＞＞
前記一方終端棒部材（４）、（５５）および前記他方終端棒部材（５）、（５６）が金属製部材であり、
前記引張コイルばね（６）が、前記一方終端棒部材（４）、（５５）および前記他方終端棒部材（５）、（５６）よりも硬質の金属製部材であり、
前記引張コイルばね（６）の一方側および他方側の、前記一方終端棒部材（４）、（５５）および前記他方終端棒部材（５）、（５６）に固定されてなる固定形態が、前記引張コイルばね（６）内に前記一方側と前記他方側から線材（７）、線材（７）をそれぞれ挿入した状態で、前記一方終端棒部材（４）、（５５）および前記他方終端棒部材（５）、（５６）を圧着し固定した形態であり、
以上のような構成であることを特徴とする請求項１，２又は３記載の連結型身飾り品形成部材である。
＜＜解決手段５＞＞
前記一方終端棒部材（４）および前記他方終端棒部材（５）を有さない形態とし、
前記一方側貫通孔（１０）に一方側の終端の前記棒部材（２）を、前記フランジ部（２ｂ）が止となって抜けない可動形態で挿入した取り付け形態とし、
前記他方側貫通孔（１１）に他方側の終端の棒部材（２）を、前記フランジ部（２ｂ）が止となって抜けない可動形態で挿入した取り付け形態とし、
前記引張コイルばね（６）の一方のばね終端側と他方のばね終端側を前記端側取付け部（２１）、（４６）、（６３）内で連結してなるコイル連結部（６４）を設け、
以上のように構成されてなることを特徴とする解決手段３記載の連結型身飾り品形成部材である。
＜＜解決手段６＞＞
前記コイル連結部（６４）は、引張コイルばね（６）内に一方側と他方側に線材（７）を挿入した状態で、前記一方のばね終端と前記他方のばね終端を金属製筒部材（６６）に挿入し、前記金属製筒部材（６６）を圧着し固定した形態であることを特徴とする解決手段５記載の連結型身飾り品形成部材。
＜＜解決手段７＞＞
前記端側取付け部（２１）、（３２）、（４６）、（６３）が、宝石等の飾り部材を接着や嵌め込み等で後付けすることができる凹み部、凸部、穴等の飾り部材取付け部を設けた形態であることを特徴とする解決手段２〜５又は６記載の連結型身飾り品形成部材である
＜＜解決手段８＞＞
解決手段１〜６又は７記載の連結型身飾り品形成部材を有することを特徴とする身飾り品である。
＜＜解決手段９＞＞
前記棒部材（２）を通し形態で取り付ける中空形態の装飾部材本体（１４）と、この装飾部材本体（１４）の一方の側に設けられた、前記棒部材本体（２ａ）を移動可能に通しかつ前記フランジ部（２ｂ）を通さない形態の一方側開口（１７）と、前記装飾部材本体（１４）の他方の側に設けられた、前記棒部材本体（２ａ）を移動可能に通しかつ前記フランジ部（２ｂ）を通さない形態の他方側開口（１８）と、を有してなる複数の装飾部材（１９）からなる装飾部材群（２０）と、
前記装飾部材群（２０）を取り付けた前記解決手段１〜６又は７記載の連結型身飾り品形成部材と、を有してなる、身飾り品であって、
前記装飾部材（１９）の１個は、前記一方側開口（１７）に前記棒部材（２）の棒部材本体（２ａ）を通し、かつ、前記他方側開口（１８）に隣の前記棒部材（２）の棒部材本体（２ａ）を通して連結された形態であり、
以上のように構成されてなることを特徴とする身飾り品である。
【発明の効果】
【０００９】
以上の説明から明らかなように、本発明にあっては次に列挙する効果が得られる。
＜＜解決手段１の効果＞＞
棒部材群（３）が通された引張コイルばね（６）の収縮付勢力状態で一本形態とされているので、棒部材群（３）に好みの装飾部材（例えば球体）を取り付け、端部を連結するという簡単な作業で、多様なデザインの輪形態の身飾り品を形成でき、
また、棒部材（２）よりも硬質の硬質製部材である引張コイルばね（６）は該棒部材（２）の擦れによって切断することが生じないという作用効果を奏する。
また、隣り合う棒部材（２）同士に跨るように中空形態の装飾部材を取り付けたブレスレット等の輪形態の身飾り品において、装飾部材から棒部材（２）が抜け外れても、圧縮コイルばねが切れないので輪形態が崩壊することがない輪形態の身飾り品を実現するという作用効果を奏する。
＜＜解決手段２の効果＞＞
前記解決手段１記載の連結型身飾り品形成部材の効果と同様な効果を奏するとともに、連結型身飾り品形成部材の全体形態が輪状形態であるので、棒部材群（３）
に好みの装飾部材（例えば球体）を１っ個ずつ取付けるだけの作業で好みの身飾り品の形成を可能にできるという作用効果を奏する。
また、端側取付け部（２１）、（３２）、（４６）、（６３）を予め宝石などの飾り部材で装飾した形態で提供できるという作用効果を奏する。
＜＜解決手段３の効果＞＞
前記解決手段１又は２記載の連結型身飾り品形成部材の効果と同様な効果を奏するとともに、一方終端棒部材（４）、（５５）および他方終端棒部材（５）、（５６）が可動可能形態で取り付けられているので、その分輪を広げることができる。これによって、同じ部品点数で例えばより太い指を入れられる指輪を可能とし、または部品点数を減らしてコストを下げることを可能とする。
＜＜解決手段４の効果＞＞
前記解決手段１，２又は３記載の連結型身飾り品形成部材の効果と同様な効果を奏するとともに、線材（７）を挿入した状態で引張コイルばね（６）を、金属製部材である一方終端棒部材（４）、（５５）および他方終端棒部材（５）、（５６）を圧着することで連結型身飾り品形成部材を形成できるので、確実な圧着固定と固定作業を短時間で容易に行えるという作用効果を奏する。
＜＜解決手段５の効果＞＞
前記解決手段３記載の連結型身飾り品形成部材の効果と同様な効果を奏するとともに、引張コイルばね（６）の一方のばね終端側と他方のばね終端側を端側取付け部（２１）、（４６）、（６３）内で連結してなるコイル連結部（６４）を設けた構成であるので、端側取付け部（２１）、（４６）、（６３）内の空間部が長い形態では、一方終端棒部材（４）および他方終端棒部材（５）を長いものとしても、その可動距離を長くすることが可能となり、よって、輪全体の広げ大きさを大きくできるという作用効果を奏する。これによって、同じ部品点数で例えばより太い指を入れられる指輪を可能とし、または部品点数を減らしてコストを下げることを可能とする。
＜＜解決手段６の効果＞＞
前記解決手段５記載の連結型身飾り品形成部材の効果と同様な効果を奏するとともに、線材（７）を挿入した状態で引張コイルばね（６）を、金属製筒部材（６６）を圧着することで連結型身飾り品形成部材を形成できるので、確実な圧着固定と固定作業を短時間で容易に行えるという作用効果を奏する。
＜＜解決手段の効果７＞＞
前記解決手段２〜５又は６記載の連結型身飾り品形成部材と同様効果をそうするとともに、端側取付け部（２１）、（３２）、（４６）、（６３）に、購入者が自らが宝石等の取付けが行えるという作用効果を奏する。
＜＜解決手段８の効果＞＞
前記解決手段１〜６又は７記載の連結型身飾り品形成部材の作用効果を有する、輪形態の身飾り品という効果を奏する。
＜＜解決手段９の効果＞＞
前記解決手段１〜６又は７記載の連結型身飾り品形成部材を使用した、輪形態の身飾り品という効果を奏する。
【図面の簡単な説明】
【００１０】
【図１】本件発明の実施例１の連結型身飾り品形成部材の形成手順図。
【図２】本件発明の実施例１の身飾り品の形成手順図。
【図３】本件発明の実施例１の身飾り品の付勢収縮状態図（上図）および広げた状態図（下図）。
【図４】本件発明の実施例１の身飾り品の付勢収縮状態を示す部分拡大断面図（上図）および広げた状態を示す部分拡大断面図（下図）。
【図５】本発明の実施例２の連結型身飾り品形成部材の形成手順図。
【図６】図５の続き。
【図７】本件発明の実施例３の身飾り品を示す部分拡大断面図（上図）および身飾り品正面図（下図）。
【図８】本件発明の実施例４の身飾り品を示す部分拡大断面図（上図）および身飾り品正面図（下図）。
【図９】本件発明の実施例５の身飾り品を示す部分拡大断面図。
【図１０】本件発明の実施例６の身飾り品を示す部分拡大断面図。
【図１１】本件発明の実施例７の身飾り品を示す部分拡大断面図。
【図１２】本件発明の実施例８の複数の異なる身飾り品を示す斜視図。
【発明を実施するための形態】
【００１１】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００１２】
図１〜図４に示す本発明の実施例１において、連結型身飾り品形成部材１は次のような構成となっている。
棒部材本体２ａ、この棒部材本体２ａの両端側にフランジ部２ｂを有しかつ貫通孔２ｃを有する棒部材２、この棒部材２を複数（ここでは１６個、一方終端棒部材４と他方終端棒部材５を加えると１８個。）並べてなる棒部材群３と、
棒部材群３の一方の終端部材となる、両端側にフランジ部２ｂを設けてなる一方側貫通孔１０を有する一方終端棒部材４と、
棒部材群の他方の終端部材となる、両端側にフランジ部２ｂを設けてなる他方側貫通孔１０を有する他方終端棒部材５と、
棒部材群３を形成する一方終端棒部材４の一方側貫通孔１０、棒部材２の貫通孔２ｃおよび他方終端棒部材５の他方側貫通孔１１に通された、収縮付勢力状態で一方側を前記一方終端棒部材４に固定されかつ他方側を他方終端棒部材５に固定されてなる、一方終端棒部材４、棒部材および他方終端棒部材５を一本形態に連結してなる引張コイルばね６と、を有する形態である。
張コイルばね６が棒部材２よりも硬質の硬質製部材である。
【００１３】
引張コイルばね６は金属製部材（ここでは、チタンコイルばね）であり、棒部材２、一方終端棒部材４および他方終端棒部材５は貴金属製部材（ここでは、１８ｋ金製部材、銀製部材又はプラチナ製部材）である。
棒部材２（ここでは、金製部材ないしプラチナ製部材などの貴金属製っ部材）の本体は貫通孔２ｃ内径が０．７ｍｍであり、引張コイルばね６は直径が０．６ｍｍでコイル線太さが０．１５ｍｍないし０．２ｍｍである
引張コイルばね６の一方終端棒部材４および他方終端棒部材５への固定方法は、ロウ付けや接着剤などによる固定、一方終端棒部材４および他方終端棒部材５を潰し圧着による圧着固定などがある。
【００１４】
連結型身飾り品形成部材１の形成手順を図１によって説明する。
・図１の（ａ）図：  引張コイルばね６を全ての棒部材２、一方終端棒部材４、他方終端棒部材５に通して並び連結した形態の棒部材群３を形成する。
・図１の（ｂ）図：  引張コイルばね６内の他方側に線材７（太さ０．１ｍｍないし０．１５ｍｍ）を挿入した状態で、他方終端棒部材５を圧着し固定部８を形成する。
・図１の（ｃ）図：  引張コイルばね６内の一方側に線材７を挿入した状態で、引張コイルばね６を引張って収縮付勢力を付けた状態にして、一方終端棒部材４を圧着し固定部９を形成して、前記収縮付勢力によって棒部材２同士が付勢突き合わさった付勢突合せ状態が保持された形態とする。
・図１の（ｄ）図：  引張コイルばね６および線材７の突出部位を切除して連結型身飾り品形成部材１を形成する。
【００１５】
引張り収縮付勢力を付けた状態で引張コイルばね６の左右を保持しておいて、他方終端棒部材５を圧着し固定部８を形成し、一方終端棒部材４を圧着し固定部９を形成して、連結型身飾り品形成部材１を形成するするのもよい。
【００１６】
連結型身飾り品形成部材１を使用して図２、図３、図４に示す身飾り品１５を形成する手順を図１の（ｅ）図〜（ｇ）図および図２によって説明する。
・図１の（ｅ）：  装飾部材本体１４が中空球体でありフランジ部２ｂを通す横開口１６と該横開口１６を閉じると棒部材本体２ａは通すがフランジ部２ｂを通さない形態の一方側開口１７と他方側開口１８を有する装飾部材１９を複数個（ここでは１７個）を、冶具等（図示せず省略）に横開口１６を揃えて横並びにして装飾部材群２０を形成する。
・図１の（ｆ）：  連結型身飾り品形成部材１を横開口１６から装飾部材群２０内に入れ収め形態とする。
・図１の（ｇ）：  冶具等（図示せず省略）で全ての装飾部材１９を同時にプレスして全横開口１６を閉じて、連結型身飾り品形成部材１と装飾部材群２０を一体化する。
・図２の上図：  一方終端棒部材４と他方終端棒部材５を取り付ける端側取付け部２１（ここでは装飾部材１９を同じ形態であるが多様な形態がある。）を設け、端側取付け部２１の一方側に前記一方終端棒部材４を横開口１６から入れ、端側取付け部２１の他方側に他方終端棒部材５を横開口１６から入れる。
・図２の下図：  横開口１６を閉じて一方終端棒部材４と他方終端棒部材５から抜けない端側取付け部２１への取付け状態として全体をして輪形態からなる身飾り品２５を形成する。
端側取付け部２１の横開口１６を閉じると、端側取付け部２１の一方の側にフランジ２ｂが抜けない形態の一方側貫通孔１０が形成され、他方の側にフランジ２ｂが抜けない形態の他方側貫通孔１１が形成され、端側取付け部２１の内側は空間部２３となっている。
【００１７】
図３の上図および図４の上図は、引張コイルばね６の収縮付勢力により装飾部材１９同士が付勢当接状態にあることを示している。
図３の下図および図４の下図は、引張コイルばね６の収縮付勢力に抗して最大限に身飾り品２５を広げた状態にあることを示している。広げるとフランジ部２ｂが装飾部材１９の内壁に当たり可動がそれ以上できない最大拡がり状態となる。
広げることをやめると収縮付勢力により装飾部材１９同士が付勢当接状態に戻る。
【００１８】
連結型身飾り品形成部材１への装飾部材１９の取付けは、該装飾部材１９を一個ずつ付けてその横開口１６を閉じる一個ずつ取付け手順とするのもよい。
また、連結型身飾り品形成部材１を金属製筒部材に通し、該金属製筒部材を少しずつプレス変形させて個々を切り離して、切れ目やつなぎ目の無い中空体からなる飾り部材を形成するのもよい。
装飾部材１９は、全てが同じ形態でなくてもよく、例えば長いものと短いものとの組み合わせ、球体のものと楕円体のものとの組合せなど多様な異なる形態でもよい。
装飾部材１９は、断面が円形であるものがよく、円形であることで装着の際に装飾部材１９が回るので指や手首に身飾り品を抵抗少なく装着できる。
【実施例２】
【００１９】
図５、図６に示す本発明の実施例２における連結型身飾り品形成部材３０の、前記実施例１の連結型身飾り品形成部材１の形成と主に異なる点は、引張り収縮付勢力を付けた状態で引張コイルばね６の左右を保持（保持手段図示せず省略）しておいて、他方終端棒部材５を圧着し固定部８を形成し、一方終端棒部材４、他方終端棒部材５および全ての棒部材２を当接した状態で、一方終端棒部材４を圧着し固定部９を形成して連結型身飾り品形成部材１を形成し（図５）、端側取付け部２１で一方終端棒部材４と他方終端棒部材５を可動可能に取付け連結して輪形態の連結型身飾り品形成部材３０を形成している（図６上図）。
連結型身飾り品形成部材３０に装飾部材１９を１個ずつ嵌めて横開口１６を閉じて取付けて行って身飾り品２５（図３参照）を形成する。
【実施例３】
【００２０】
図７に示す本発明の実施例３において前記実施例１と主に異なる点は、
端側取付け部を、内側に空間部３７を有する端側取付け部本体３１の一方側にフランジ２ｂを有する外に突出固定形態とされた一方側突出部３３を設け、端側取付け部本体３１の他方側にフランジ２ｂを有する外側に突出固定形態とされた他方側突出部３３を設け、一方側突出部３３に装飾部材１９と同じ形態の一方側取付け部３５を設け、他方側突出部３３に装飾部材１９と同じ形態の他方側取付け部３６を設け、てなる端側取付け部３２とし、
一方側取付け部３５に一方側終端の装飾部材１９をフランジ２ｂを抜け止めとした可動可能形態で取り付け、他方側取付け部３５に他方側終端の装飾部材１９を、フランジ２ｂを抜け止めとした可動可能形態で取り付け、以上のようにして連結型身飾り品形成部材３８を形成し、該連結型身飾り品形成部材３８を使用した身飾り品３９を形成した点にある。
一方側取付け部３５および他方側取付け部３６には一方側貫通孔１０と他方側貫通孔１１が設けられている。
【００２１】
中空形態の貴金属製部材からなる端側取付け部本体３１は底部解放形態で上部に宝石４０が固定された形態であり、端側取付け部本体３１の一方の側壁には一方側貫通孔４１が設けられ、端側取付け部本体３１の他方の側壁には他方側貫通孔４２が設けられ、一方側貫通孔４１には一方側突出部３３のフランジの無い側を挿入した状態でロウ付けにより固定し、他方側貫通孔４２には一方側突出部３３のフランジの無い側を挿入した状態でロウ付けにより固定した形態となっている。
【実施例４】
【００２２】
図８に示す本発明の実施例４において前記実施例１と主に異なる点は、
端側取付け部を、内側に空間部４７を有した端側取付け部本体３１の一方の側壁に傾斜貫通孔からなる一方側取付け部４４を設け、端側取付け部本体３１の他方の側壁に傾斜貫通孔からなる他方側取付け部４５を設け、てなる端側取付け部４６とし、
一方側取付け部４４に一方終端棒部材４の一部を挿入しそこの終端の装飾部材１９とともにロウ付けにより固定し、他方側取付け部４５に一方終端棒部材５の一部を挿入しそこの終端の装飾部材１９とともにロウ付けにより固定し、以上のようにして連結型身飾り品形成部材５０を形成し、該連結型身飾り品形成部材５０を使用した身飾り品５１を形成した点にある。
端側取付け部本体３１の上部には宝石４０が設けられている。
【実施例５】
【００２３】
図９に示す本発明の実施例５において前記実施例４と主に異なる点は、固定部８、固定部９の位置を反対側（端側取付け部４６の外側に位置）とし、終端の装飾部材１９は非固定の可動形態とした点にある。
【実施例６】
【００２４】
図１０に示す本発明の実施例５において前記実施例１と主に異なる点は、端側取付け部２１およびその空間部２３を横長楕円中空体形態（２倍以上長い）とし、一方終端棒部材を棒部材２よりも１．５倍以上長い形態である一方終端棒部材５５とし、他方終端棒部材を棒部材２よりも１．５倍以上長い形態である他方終端棒部材５６とした点にある。
一方終端棒部材が長い分だけ輪形態の身飾り品を広がりを大きくできる。
端側取付け部を横長楕円形態としたので、ロゴなどの表示をレーザ等により表記できる。
端側取付け部２１には一方側貫通孔１０と他方側貫通孔１１が設けられている。
【実施例７】
【００２５】
図１１に示す本発明の実施例７において前記実施例１と主に異なる点は、
一方終端棒部材および他方終端棒部材を設けない形態とし、
端側取付け部を、空間部６１を有する端部取付け部本体６２、端部取付け部本体６２の一方側側壁に設けた一方側貫通孔１０、端部取付け部本体６２の他方側側壁に設けた他方側貫通孔１１、端部取付け部本体６２の上部に複数個設けた宝石４０とを有する端側取付け部６３とし、
一方側貫通孔１０に一方側の終端の棒部材２を、フランジ部２ｂが止となって抜けない可動形態で挿入した取り付け形態とし、
他方側貫通孔１１に他方側の終端の棒部材２を、フランジ部２ｂが止となって抜けない可動形態で挿入した取り付け形態とし、
引張コイルばね６の一方のばね終端と他方のばね終端を、端側取付け部６３内である空間部６１で連結してなるコイル連結部６４を設け、
コイル連結部６４は、棒部材２から出た引張コイルばね６部位が圧着やロウ付け等によって連結された部位であり、
空間部６１の長さは棒部材２の長さの２倍以上の長さとした、
連結型身飾り品形成部材６５を形成した点にある。
【００２６】
コイル連結部６４は、引張コイルばね６内に一方側と他方側に線材７を挿入した状態で、前記一方のばね終端と他方のばね終端を金属製筒部材６６に挿入し、金属製筒部材６６を圧着し固定した形態である。
【実施例８】
【００２７】
図１２に示す本発明の実施例８において、異なる形態（主に端側取付け部の形態が異なる）の複数の身飾り品７０、７１，７２，７３，７４を示している。
身飾り品７０、７１はブレスレットであり、身飾り品７２，７３，７４は指輪である。
いずれの身飾り品も連結型身飾り品形成部材１、連結型身飾り品形成部材３０、連結型身飾り品形成部材３８、連結型身飾り品形成部材５０、連結型身飾り品形成部材６５のいずれかの形態を使用している。  
端側取付け部７５，７６，７７，７８，７９はいずれも１０個程度あるいはそれ以上の小さな宝石４０を設けた形態であり、実施例１〜実施例７に示した端側取付け部のいずれかの形態を使用している。
【実施例９】
【００２８】
端側取付け部が宝石等の飾り部材を後付け（接着等）することができる、例えば凹み部、凸部、穴等の飾り部材取付け部を設けた形態とするのがよい。
【００２９】
また、購入者が自分で身飾り品を自作できる、連結型身飾り品形成部材、装飾部材からなるキット形態もよい。
また、連結型身飾り品形成部材、端側取付け部、装飾部材からなるキット形態もよい。
【産業上の利用可能性】
【００３０】
主に身飾り品を製造・販売する産業で利用される。
【符号の説明】
【００３１】
１：連結型身飾り品形成部材、
２ａ：棒部材本体、
２ｂ：フランジ部、
２ｃ：貫通孔、
２：棒部材、
３：棒部材群、
４：一方終端棒部材、
５：他方終端棒部材、
６：引張コイルばね、
７：線材、
８：固定部、
９：固定部、
１０：一方側貫通孔、
１１：他方側貫通孔、
１４：装飾部材本体、
１５：身飾り品、
１６：横開口、
１７：一方側開口、
１８：他方側開口、
１９：装飾部材、
２０：装飾部材群、
２１：端側取付け部、
２３：空間部、
２５：身飾り品、
３０：連結型身飾り品形成部材、
３１：端側取付け部本体、
３２：端側取付け部、
３３：一方側突出部、
３４：他方側突出部、
３５：一方側取付け部、
３６：他方側取付け部、
３７：空間部、
３８：連結型身飾り品形成部材、
３９：身飾り品、
４０：宝石、
４１：方側貫通孔、
４２：他方側貫通孔、
４４：一方側取付け部、
４５：他方側取付け部、
４６：端側取付け部、
４７：空間部、
５０：連結型身飾り品形成部材、
５１：身飾り品５、
５５：一方終端棒部材、
５６：他方終端棒部材、
６１：空間部、
６２：端部取付け部本体、
６３：端側取付け部、
６４：コイル連結部、
６５：連結型身飾り品形成部材、
６６：金属製筒部材。
【図１】
2020092958.tif 000003
【図２】
2020092958.tif 000004
【図３】
2020092958.tif 000005
【図４】
2020092958.tif 000006
【図５】
2020092958.tif 000007
【図６】
2020092958.tif 000008
【図７】
2020092958.tif 000009
【図８】
2020092958.tif 000010
【図９】
2020092958.tif 000011
【図１０】
2020092958.tif 000012
【図１１】
2020092958.tif 000013
【図１２】
2020092958.tif 000014